(57)【要約】【課題】  認知情報ベースの認証装置および方法が開示される。【解決手段】  本発明に係る認知情報ベースの認証装置は、認証対象の認証要請を受信する認証要請受信部と、前記認証対象に相応する行動および状況情報を収集する行動および状況情報収集部と、予め保存されたビッグデータから前記認証要請に相応する認知情報を抽出する認知情報抽出部と、抽出された前記認知情報に基づいて、前記行動および状況情報を考慮して、前記認証対象に対する認証を行う認証処理部とを含む。【選択図】  図２
2017188056.tif 000002
【特許請求の範囲】
【請求項１】
認証対象の認証要請を受信する認証要請受信部と、
前記認証対象に相応する行動および状況情報を収集する行動および状況情報収集部と、
予め保存されたビッグデータから前記認証要請に相応する認知情報を抽出する認知情報抽出部と、
抽出された前記認知情報に基づいて、前記行動および状況情報を考慮して、前記認証対象に対する認証を行う認証処理部とを含むことを特徴とする認知情報ベースの認証装置。
【請求項２】
前記認証処理部は、
前記行動および状況情報の持続性、固有性、妥当性および正当性のうちの少なくともいずれか１つを判断して、前記認証対象に対する認証を行うことを特徴とする請求項１に記載の認知情報ベースの認証装置。
【請求項３】
前記認証処理部は、
前記行動および状況情報が閾値時間および閾値回数のうちの少なくともいずれか１つ以上持続的に受信されるか否かを考慮して、前記行動および状況情報の持続性を判断することを特徴とする請求項２に記載の認知情報ベースの認証装置。
【請求項４】
前記認証処理部は、
前記行動および状況情報の変化量が閾値変化量以下の固有の情報であるか否かを考慮して、前記行動および状況情報の前記固有性を判断することを特徴とする請求項２に記載の認知情報ベースの認証装置。
【請求項５】
前記認証処理部は、
前記行動および状況情報の変化の結果と前記行動および状況情報に相応する予測結果とを比較して、前記行動および状況情報の妥当性を判断することを特徴とする請求項２に記載の認知情報ベースの認証装置。
【請求項６】
前記認証処理部は、
抽出された前記認知情報に基づいて、前記行動および状況情報のパターンの変化に対する前記正当性を判断することを特徴とする請求項２に記載の認知情報ベースの認証装置。
【請求項７】
前記予め保存されたビッグデータは、
位置センサ、ビーコン信号収集センサ、生体信号収集センサおよび環境センサのうちの少なくともいずれか１つのセンサを用いて収集されたものであるか、前記認証対象に相応するネットワークの種類、接続網の種類および応用プログラム実行情報のうちの少なくともいずれか１つであることを特徴とする請求項１に記載の認知情報ベースの認証装置。
【請求項８】
前記認証対象は、
前記認証の対象となるユーザおよび機器のうちの少なくともいずれか１つであることを特徴とする請求項１に記載の認知情報ベースの認証装置。
【請求項９】
前記認証対象の前記認証の実行結果を出力する認証結果出力部をさらに含むことを特徴とする請求項１に記載の認知情報ベースの認証装置。
【請求項１０】
前記認証処理部は、
ＩＤ−パスワードベース認証方式、認証トークンベース認証方式、生体ベース認証方式のうちの少なくともいずれか１つの認証方式と結合して多重要素認証を行うことを特徴とする請求項１に記載の認知情報ベースの認証装置。
【請求項１１】
認知情報ベースの認証装置によって行われる認知情報ベースの認証方法において、
認証対象の認証要請を受信するステップと、
前記認証対象に相応する行動および状況情報を収集するステップと、
予め保存されたビッグデータから前記認証要請に相応する認知情報を抽出するステップと、
抽出された前記認知情報に基づいて、前記行動および状況情報を考慮して、前記認証対象に対する認証を行うステップとを含むことを特徴とする認知情報ベースの認証方法。
【請求項１２】
前記認証対象に対する認証を行うステップは、
前記行動および状況情報の持続性、固有性、妥当性および正当性のうちの少なくともいずれか１つを判断して、前記認証対象に対する認証を行うことを特徴とする請求項１１に記載の認知情報ベースの認証方法。
【請求項１３】
前記認証対象に対する認証を行うステップは、
前記行動および状況情報が閾値時間および閾値回数のうちの少なくともいずれか１つ以上持続的に受信されるか否かを考慮して、前記行動および状況情報の持続性を判断することを特徴とする請求項１２に記載の認知情報ベースの認証方法。
【請求項１４】
前記認証対象に対する認証を行うステップは、
前記行動および状況情報の変化量が閾値変化量以下の固有の情報であるか否かを考慮して、前記行動および状況情報の前記固有性を判断することを特徴とする請求項１２に記載の認知情報ベースの認証方法。
【請求項１５】
前記認証対象に対する認証を行うステップは、
前記行動および状況情報の変化の結果と前記行動および状況情報に相応する予測結果とを比較して、前記行動および状況情報の妥当性を判断することを特徴とする請求項１２に記載の認知情報ベースの認証方法。
【請求項１６】
前記認証対象に対する認証を行うステップは、
抽出された前記認知情報に基づいて、前記行動および状況情報のパターンの変化に対する前記正当性を判断することを特徴とする請求項１２に記載の認知情報ベースの認証方法。
【請求項１７】
前記予め保存されたビッグデータは、
位置センサ、ビーコン信号収集センサ、生体信号収集センサおよび環境センサのうちの少なくともいずれか１つのセンサを用いて収集されたものであるか、前記認証対象に相応するネットワークの種類、接続網の種類および応用プログラム実行情報のうちの少なくともいずれか１つであることを特徴とする請求項１１に記載の認知情報ベースの認証方法。
【請求項１８】
前記認証対象は、
前記認証の対象となるユーザおよび機器のうちの少なくともいずれか１つであることを特徴とする請求項１１に記載の認知情報ベースの認証方法。
【請求項１９】
前記認証対象の前記認証の実行結果を出力するステップをさらに含むことを特徴とする請求項１１に記載の認知情報ベースの認証方法。
【請求項２０】
前記認証対象に対する認証を行うステップは、
ＩＤ−パスワードベース認証方式、認証トークンベース認証方式、生体ベース認証方式のうちの少なくともいずれか１つの認証方式と結合して多重要素認証を行うことを特徴とする請求項１１に記載の認知情報ベースの認証方法。
【発明の詳細な説明】
【技術分野】
【０００１】
本明は、認知情報に基づいて認証対象を認証する技術に関し、特に、認証対象に相応する行動および状況情報とビッグデータから抽出された認知情報とを用いて認証対象に対する認証を行う技術に関する。
【背景技術】
【０００２】
最近、多様な事物インターネット（ＩｏＴ、Ｉｎｔｅｒｎｅｔ  ｏｆ  Ｔｈｉｎｇ）機器が開発され、ユーザのＩｏＴ機器の使用率が増加するに伴い、ユーザと事物の認証だけでなく、事物間の認証に対する要求が増加している。これによって、ＩＤ−パスワード（ＩＤ−Ｐａｓｓｗｏｒｄ）ベース認証、トークンベース認証および生体ベース認証などの単一要素認証方式と、単一要素を結合した多重要素認証方式などの多様な認証方式が使用されている。
【０００３】
一般的に、それぞれの認証方式は、ユーザの便宜性およびセキュリティ性の側面で差がある。ＩＤ−パスワードベース認証方式は、ユーザと事物との間に事前に設定されて共有された秘密情報に基づいて認証を行う。このようなＩＤ−パスワードベース認証方式は、事前に設定された暗証番号を利用するので、ユーザの便宜性に優れる。
【０００４】
しかし、秘密情報の露出に対する問題と情報露出に備えて毎度暗証番号を変更しなければならないという不便さ、そして、情報保存流通に対するセキュリティの弱みなどの限界がある。また、事物間の暗証番号を設定する場合、ユーザが毎度入力しなければならないという煩わしさがある。
【０００５】
反面、認証トークンベース認証方式は、認証のためのハードウェア認証トークンとソフトウェア認証トークンがある。例えば、ＯＴＰ（Ｏｎｅ  Ｔｉｍｅ  Ｐａｓｓｗｏｒｄ）機器がハードウェア認証トークンに該当し、公認認証書（Ｘ．５０９）はソフトウェア認証トークンに該当する。
【０００６】
ハードウェア認証トークンは、ユーザが物理的なハードウェア形態のトークンを保有していなければならないため、携帯性と便利性が低い。そして、事物の場合、ハードウェア認証トークンを別途に装着しなければならないため、費用増加の問題が発生する。
【０００７】
そして、ソフトウェア認証トークンは、ハードウェア認証トークンより携帯性および便利性に優れる。しかし、ソフトウェア認証トークンは、保存媒体に保存されるため、流出の可能性があり、事物に適用する場合、別の運用プログラムを搭載しなければならない。
【０００８】
生体ベース認証方式は、ユーザに相応する固有の形態の身体構造や身体構造を利用した行動結果に基づいてユーザを認証する方式である。生体ベース認証方式は、別の認証トークンを所有しなくてもよいし、事前に秘密情報を共有しなくてもよく、ユーザの身体情報を利用するため、セキュリティ性が高い。
【０００９】
しかし、生体ベース認証方式は、認証のためのシステム構築が複雑である。また、生体ベース認証方式は、生体構造や身体構造を利用した行動結果をパターン化して分析および活用するシステムを構築し管理しにくいという欠点がある。なお、ユーザの固有の生体情報を利用するため、これに関する情報が露出する場合、大きな問題が発生し得る。さらに、生体ベース認証方式は、事物の認証には適用できないという欠点がある。
【００１０】
その他にも、単一要素認証の問題を補完すべく、２つ以上の単一要素認証を結合した認証方式が使用されたりする。例えば、ＩＤ−パスワード認証と携帯電話認証コードとを結合した認証方式、セキュリティトークンとセキュリティカード（ＯＴＰ）とを結合した認証方式などが主に使用されている。
【００１１】
しかし、認証要素の入力方式や事物に認証のためのトークンやシステムなどを追加する方式が、ユーザの便宜性およびセキュリティ性を阻害することがある。また、既存の単一認証方式を多重認証方式で認証するためには、多重要素の携帯を必要とし、２チャンネルの通信を必要とし、これによって、認証要素および通信などの資源を効率的に使用しにくい。
【００１２】
したがって、簡単でありながらも既存の方式より効率的にユーザ間、事物間、ユーザと事物との間の認証を行うことができる技術の開発が必要である。
【先行技術文献】
【特許文献】
【００１３】
【特許文献１】韓国公開特許第１０−２００７−０００８７４４号公報
【発明の概要】
【発明が解決しようとする課題】
【００１４】
本発明の目的は、既存の認証方式より便利で効率的に認証サービスを提供できるようにすることである。
【００１５】
また、本発明の目的は、ビッグデータを用いて、ユーザ間、事物とユーザとの間、事物間の相互認証サービスを提供できるようにすることである。
【００１６】
さらに、本発明の目的は、行動および状況情報を認証情報として用いることにより、安全な認証を可能にすることである。
【００１７】
また、本発明の目的は、既存の認証方式の認証情報の紛失、露出および毀損による問題を補完して、既存の認証の臨時的認証および非認可者に対する認証を事前に遮断できるようにすることである。
【００１８】
なお、本発明の目的は、既存の認証方式と結合して、より効率的で安全な認証サービスを提供できるようにすることである。
【課題を解決するための手段】
【００１９】
上記の目的を達成するための、本発明に係る認知情報ベースの認証装置は、認証対象の認証要請を受信する認証要請受信部と、前記認証対象に相応する行動および状況情報を収集する行動および状況情報収集部と、予め保存されたビッグデータから前記認証要請に相応する認知情報を抽出する認知情報抽出部と、抽出された前記認知情報に基づいて、前記行動および状況情報を考慮して、前記認証対象に対する認証を行う認証処理部とを含む。
【００２０】
この時、前記認証処理部は、前記行動および状況情報の持続性、固有性、妥当性および正当性のうちの少なくともいずれか１つを判断して、前記認証対象に対する認証を行うことができる。
【００２１】
この時、前記認証処理部は、前記行動および状況情報が閾値時間および閾値回数のうちの少なくともいずれか１つ以上持続的に受信されるか否かを考慮して、前記行動および状況情報の持続性を判断することができる。
【００２２】
この時、前記認証処理部は、前記行動および状況情報の変化量が閾値変化量以下の固有の情報であるか否かを考慮して、前記行動および状況情報の前記固有性を判断することができる。
【００２３】
この時、前記認証処理部は、前記行動および状況情報の変化の結果と前記行動および状況情報に相応する予測結果とを比較して、前記行動および状況情報の妥当性を判断することができる。
【００２４】
この時、前記認証処理部は、抽出された前記認知情報に基づいて、前記行動および状況情報のパターンの変化に対する前記正当性を判断することができる。
【００２５】
この時、前記予め保存されたビッグデータは、位置センサ、ビーコン信号収集センサ、生体信号収集センサおよび環境センサのうちの少なくともいずれか１つのセンサを用いて収集されたものであるか、前記認証対象に相応するネットワークの種類、接続網の種類および応用プログラム実行情報のうちの少なくともいずれか１つであってもよい。
【００２６】
この時、前記認証対象は、前記認証の対象となるユーザおよび機器のうちの少なくともいずれか１つであってもよい。
【００２７】
この時、前記認証対象の前記認証実行結果を出力する認証結果出力部をさらに含むことができる。
【００２８】
この時、前記認証処理部は、ＩＤ−パスワードベース認証方式、認証トークンベース認証方式、生体ベース認証方式のうちの少なくともいずれか１つの認証方式と結合して多重要素認証を行うことができる。
【００２９】
また、本発明の一実施態様に係る認知情報ベースの認証装置によって行われる認知情報ベースの認証方法は、認証対象の認証要請を受信するステップと、前記認証対象に相応する行動および状況情報を収集するステップと、予め保存されたビッグデータから前記認証要請に相応する認知情報を抽出するステップと、抽出された前記認知情報に基づいて、前記行動および状況情報を考慮して、前記認証対象に対する認証を行うステップとを含む。
【００３０】
この時、前記認証対象に対する認証を行うステップは、前記行動および状況情報の持続性、固有性、妥当性および正当性のうちの少なくともいずれか１つを判断して、前記認証対象に対する認証を行うことができる。
【００３１】
この時、前記認証対象に対する認証を行うステップは、前記行動および状況情報が閾値時間および閾値回数のうちの少なくともいずれか１つ以上持続的に受信されるか否かを考慮して、前記行動および状況情報の持続性を判断することができる。
【００３２】
この時、前記認証対象に対する認証を行うステップは、前記行動および状況情報の変化量が閾値変化量以下の固有の情報であるか否かを考慮して、前記行動および状況情報の前記固有性を判断することができる。
【００３３】
この時、前記認証対象に対する認証を行うステップは、前記行動および状況情報の変化の結果と前記行動および状況情報に相応する予測結果とを比較して、前記行動および状況情報の妥当性を判断することができる。
【００３４】
この時、前記認証対象に対する認証を行うステップは、抽出された前記認知情報に基づいて、前記行動および状況情報のパターンの変化に対する前記正当性を判断することができる。
【００３５】
この時、前記予め保存されたビッグデータは、位置センサ、ビーコン信号収集センサ、生体信号収集センサおよび環境センサのうちの少なくともいずれか１つのセンサを用いて収集されたものであるか、前記認証対象に相応するネットワークの種類、接続網の種類および応用プログラム実行情報のうちの少なくともいずれか１つであってもよい。
【００３６】
この時、前記認証対象は、前記認証の対象となるユーザおよび機器のうちの少なくともいずれか１つであってもよい。
【００３７】
この時、前記認証対象の前記認証実行結果を出力するステップをさらに含むことができる。
【００３８】
この時、前記認証対象に対する認証を行うステップは、ＩＤ−パスワードベース認証方式、認証トークンベース認証方式、生体ベース認証方式のうちの少なくともいずれか１つの認証方式と結合して多重要素認証を行うことができる。
【発明の効果】
【００３９】
本発明によれば、既存の認証方式より便利で効率的に認証サービスを提供することができる。
【００４０】
また、本発明によれば、ビッグデータを用いて、ユーザ間、事物とユーザとの間、事物間の相互認証サービスを提供することができる。
【００４１】
さらに、本発明によれば、行動および状況情報を認証情報として用いることにより、安全な認証を可能にする。
【００４２】
また、本発明によれば、既存の認証方式の認証情報の紛失、露出および毀損による問題を補完して、既存の認証の臨時的認証および非認可者に対する認証を事前に遮断することができる。
【００４３】
なお、本発明によれば、既存の認証方式と結合して、より効率的で安全な認証サービスを提供することができる。
【図面の簡単な説明】
【００４４】
【図１】本発明の一実施態様に係る認知情報ベースの認証装置が適用される環境を概略的に示す図である。
【図２】本発明の一実施態様に係る認知情報ベースの認証装置の構成を示すブロック図である。
【図３】本発明の一実施態様に係る認知情報ベースの認証方法を説明するためのフローチャートである。
【図４】本発明の一実施態様に係る認知情報生成方法を説明するためのフローチャートである。
【図５】本発明の一実施態様に係るコンピュータシステムを示すブロック図である。
【発明を実施するための形態】
【００４５】
以下、本発明を、添付した図面を参照して詳細に説明する。ここで、繰り返される説明、本発明の要旨を不必要にあいまいにし得る公知の機能、および構成に関する詳細な説明は省略する。本発明の実施形態は、当業界における平均的な知識を有する者に本発明をより完全に説明するために提供されるものである。したがって、図面における要素の形状および大きさなどはより明確な説明のために誇張されることがある。
【００４６】
以下、本発明に係る好ましい実施形態を、添付した図面を参照して詳細に説明する。
【００４７】
図１は、本発明の一実施態様に係る認知情報ベースの認証装置が適用される環境を概略的に示す図である。
【００４８】
図１に示しているように、認証対象１００の認証要請を受信した認知情報ベースの認証装置２００は、データ収集装置３００から認証対象１００の行動および状況情報を収集する。
【００４９】
そして、認知情報ベースの認証装置２００は、ビッグデータ保存所４００から認証対象１００に相応する認知情報を抽出する。認知情報ベースの認証装置２００は、収集された認証対象１００の行動および状況情報と抽出された認知情報とを用いて、当該認証対象１００に対する認証を行う。
【００５０】
認証対象１００は、人間であっても事物であってもよく、認証対象１００が行動または動作を行うことにより、認証対象１００に相応する行動および状況情報が生成される。
【００５１】
ここで、認証対象１００の行動および状況情報は、認証対象１００の位置情報、移動情報、周辺ビーコン（Ｂｅａｃｏｎ）情報、接続機器情報、通信対象情報、通信接続情報、天気情報、環境情報および周辺状況情報のうちの少なくともいずれか１つを含むことができる。
【００５２】
そして、認知情報ベースの認証装置２００は、認証対象１００の認証要請を受信する。この時、認知情報ベースの認証装置２００は、認証対象１００から直接認証要請を受信することができる。
【００５３】
また、認知情報ベースの認証装置２００は、認証対象１００に相応する行動および状況情報が入力されると、認証対象１００に対する認証要請を受信したと判断し、認証を行うことができる。
【００５４】
認知情報ベースの認証装置２００は、認証対象１００に相応する行動および状況情報を収集し、予め保存されたビッグデータから、認証要請に相応する認知情報を抽出する。そして、認知情報ベースの認証装置２００は、行動および状況情報と抽出された認知情報とを用いて、認証対象１００に対する認証を行う。
【００５５】
この時、認知情報ベースの認証装置２００は、行動および状況情報の持続性、固有性、妥当性および正当性のうちの少なくともいずれか１つを判断して、認証対象１００に対する認証を行うことができる。
【００５６】
次に、データ収集装置３００は、認証対象１００に相応する行動および状況情報を収集して認知情報ベースの認証装置２００に伝達する。この時、データ収集装置３００が収集した行動および状況情報は、認証対象１００の認証処理時に用いられたり、ビッグデータとして保存されてもよい。
【００５７】
そして、ビッグデータ保存所４００は、認証対象１００の認証処理時の基準となるデータである認知情報を保存する。ここで、認知情報は、人間や事物の行動および状況に関連して生成されたビッグデータを意味し、ビッグデータ保存所４００は、自主的にビッグデータ生成部を介してビッグデータを収集して保存したり、外部からビッグデータを受信して保存することができる。
【００５８】
また、ビッグデータ保存所４００は、持続的にビッグデータをアップデートし、認知情報ベースの認証装置２００から認知情報が要請されると、認証対象１００に相応するビッグデータを認知情報ベースの認証装置２００に伝送することができる。
【００５９】
説明の便宜上、認知情報ベースの認証装置２００が外部のデータ収集装置３００およびビッグデータ保存所４００からそれぞれ行動および状況情報とビッグデータを受信するものとして説明した。しかし、これに限定せず、認知情報ベースの認証装置２００は、自主的に行動および状況情報を収集したり、ビッグデータを生成および保存することができる。
【００６０】
以下、図２により、本発明の一実施形態に係る認知情報ベースの認証装置の構成についてより詳細に説明する。
【００６１】
図２は、本発明の一実施態様に係る認知情報ベースの認証装置の構成を示すブロック図である。
【００６２】
図２のように、認知情報ベースの認証装置２００は、認証要請受信部２１０と、行動および状況情報収集部２２０と、認証情報抽出部２３０と、認証処理部２４０と、認証結果出力部２５０とを含む。
【００６３】
まず、認証要請受信部２１０は、認証対象の認証要請を受信する。
【００６４】
ここで、認証対象は、認証の対象となるユーザまたは事物（機器）であってもよい。
【００６５】
認証要請受信部２１０は、認証対象から直接認証要請を受信したり、認証対象に対する認証を必要とする別の装置またはソフトウェアから認証要請を受信することができる。
【００６６】
説明の便宜上、認証要請受信部２１０が認証要請を受信すると説明したが、これに限定せず、認知情報ベースの認証装置２００は、別の認証要請を受信せず、行動および状況情報が収集された場合、認証要請を受信したと判断することができる。特に、予め設定された条件に相応する行動および状況情報を収集した場合、認知情報ベースの認証装置２００は、認証要請を受信したと判断することができる。
【００６７】
そして、行動および状況情報収集部２２０は、認証対象に相応する行動および状況情報を収集する。
【００６８】
行動および状況情報収集部２２０は、具備された収集モジュールを用いて、直接認証対象に相応する行動および状況情報を収集することができる。また、行動および状況情報収集部２２０は、外部のデータ収集装置３００から認証対象に相応する行動および状況情報を受信することもできる。
【００６９】
ここで、行動および状況情報は、認証対象に相応する位置情報、移動情報、ビーコン信号情報、生体信号情報、環境情報および実行中の応用プログラム情報のうちの少なくともいずれか１つを含むことができる。
【００７０】
次に、認証情報抽出部２３０は、予め保存されたビッグデータから認証要請に相応する認知情報を抽出する。
【００７１】
ここで、予め保存されたビッグデータは、位置センサ、ビーコン信号収集センサ、生体信号収集センサおよび環境センサのうちの少なくともいずれか１つのセンサを用いて収集されたものであってもよい。また、予め保存されたビッグデータは、認証対象に相応するネットワークの種類、接続網の種類および応用プログラム実行情報のうちの少なくともいずれか１つを含むことができる。
【００７２】
また、認証情報抽出部２３０は、認知情報ベースの認証装置２００に保存されたビッグデータから認知情報を抽出したり、外部のビッグデータ保存所４００から認知情報を抽出することができる。
【００７３】
そして、認証処理部２４０は、抽出された認知情報に基づいて、行動および状況情報を考慮して、認証対象に対する認証を行う。
【００７４】
認証処理部２４０は、行動および状況情報の持続性、固有性、妥当性および正当性のうちの少なくともいずれか１つを判断して、認証対象に対する認証を行うことができる。
【００７５】
この時、認証処理部２４０は、行動および状況情報が閾値時間および閾値回数のうちの少なくともいずれか１つ以上持続的に受信されるか否かに基づいて、行動および状況情報の持続性を判断することができる。
【００７６】
認証処理部２４０は、行動および状況情報の持続性を判断して、行動および状況情報に相応する認証対象に対する認証を行うか否かを決定したり、当該認証対象に対する認証を行うことができる。
【００７７】
例えば、車両の移動に関する行動および状況情報が収集されたと仮定する。この時、車両の移動によってネットワークが変化し続けるので、行動および状況情報が持続的に発生する。したがって、認証処理部２４０は、車両の移動に相応する行動および状況情報が持続的に収集されたか否かを判断し、行動および状況情報が持続的に収集された場合、当該認証対象に対する認証を行うことができる。
【００７８】
反面、認証処理部２４０が車両の移動に関する行動および状況情報を１回のみ受信した場合、認証処理部２４０は、当該行動および状況情報に相応する認証対象の認証を行わなくてもよい。
【００７９】
そして、認証処理部２４０は、行動および状況情報の変化量が閾値変化量以下の固有の情報であるか否かに基づいて、行動および状況情報の固有性を判断することができる。
【００８０】
例えば、バスに乗車する交通カードタグに相応する行動および状況情報を受信し、移動速度が６０ｋｍ／ｈであることを意味する行動および状況情報を受信したと仮定する。そして、移動速度が２００ｋｍ／ｈである行動および状況情報を受信した場合、認証処理部２４０は、行動および状況情報の変化量が閾値変化量を超えたと判断し、当該行動および状況情報が固有の情報でないと判断することができる。
【００８１】
この時、閾値変化量は、行動および状況情報ごとに生成されたものであってもよいし、予め保存されたビッグデータから設定されたものであってもよい。そして、認証処理部２４０は、行動および状況情報の変化量が閾値変化量以下の場合、当該行動および状況情報に対する認証を行うことができる。
【００８２】
また、認証処理部２４０は、行動および状況情報の変化の結果と行動および状況情報に相応する予測結果とを比較して、行動および状況情報の妥当性を判断することができる。
【００８３】
例えば、マイカーを用いて移動する行動および状況情報を受信し、駐車場入口を通過する行動および状況情報を受信し、当該マイカーの駐車に相応する行動および状況情報を受信したと仮定する。そして、当該駐車場に相応する駐車料をカードで精算したことを意味する行動および状況情報を受信した場合、認証処理部２４０は、当該行動および状況情報を妥当であると判断する。
【００８４】
駐車場入口を通過した後、駐車料を精算する行為は予測可能なもので、認証処理部２４０は、駐車場入口を通過する行動および状況情報を受信すれば、マイカーを駐車する行為、駐車料をカードで精算する行為、駐車料に相応する現金領収証が発給される行為などを予測することができる。この時、認証処理部２４０は、抽出された認知情報に基づいて行為を予測することができる。
【００８５】
そして、認証処理部２４０は、予測された結果と後に発生した行動および状況情報とを比較して、後に発生した行動および状況情報の妥当性を判断する。
【００８６】
反面、駐車場入口を通過した後、ガソリンスタンドで現金領収証が発給されたことを意味する行動および状況情報を受信した場合、認証処理部２４０は、当該行動および状況情報を妥当でないと判断し、当該行動および状況情報に相応する認証対象の認証を行わなくてもよい。
【００８７】
そして、認証処理部２４０は、抽出された認知情報に基づいて、行動および状況情報のパターンの変化に対する正当性を判断することができる。
【００８８】
認証処理部２４０は、行動および状況情報のパターンの変化が正当であるか否かを判断して、認証対象の認証を行うことができる。例えば、認証対象が１０１番バスに乗って交通カードをタグしたことを意味する行動および状況情報を受信したと仮定する。そして、バス停Ａに相応するビーコン信号を含む行動および状況情報を受信した。
【００８９】
この時、認証処理部２４０は、１０１番バスの路線にバス停Ａが含まれているか否かを確認する。認証処理部２４０は、ビッグデータ保存所から１０１番バスの路線情報に相応する認知情報を抽出し、抽出された認知情報とバス停Ａを考慮して、認証対象がバス停Ａに相応するビーコン信号を受信したことが正当であるか否かを判断する。
【００９０】
認証処理部２４０が、１０１番バスの路線にバス停Ａが含まれておらず、認証対象が乗った１０１番バスの現在位置とバス停Ａとが異なると判断した場合、当該認証対象に対する認証を行わなくてもよい。反面、１０１番バスの路線にバス停Ａが含まれている場合、認証処理部２４０は、当該認証対象に対する認証を行うことができる。
【００９１】
最後に、認証結果出力部２５０は、認証対象に相応する認証実行結果を出力する。認証結果出力部２５０は、認知情報ベースの認証装置２００上に認証実行結果を出力したり、認証要請を伝送した外部の装置またはソフトウェアなどに認証実行結果を伝送することもできる。
【００９２】
以下、図３により、本発明の一実施態様に係る認知情報ベースの認証装置によって行われる認知情報ベースの認証方法についてより詳細に説明する。
【００９３】
図３は、本発明の一実施態様に係る認知情報ベースの認証方法を説明するためのフローチャートである。
【００９４】
まず、認知情報ベースの認証装置２００は、認証対象に対する認証要請を受信する（Ｓ３１０）。
【００９５】
この時、認知情報ベースの認証装置２００は、認証対象から認証要請を受信したり、外部の装置またはソフトウェアから認証対象に対する認証要請を受信することができる。
【００９６】
そして、認知情報ベースの認証装置２００は、認証対象の行動および状況情報を収集する（Ｓ３２０）。
【００９７】
認知情報ベースの認証装置２００は、具備された収集モジュールを用いて、直接認証対象に相応する行動および状況情報を収集したり、外部のデータ収集装置から行動および状況情報を受信することができる。
【００９８】
また、認証対象は、センサや収集モジュールを具備する場合、認証対象は、具備されたセンサまたは収集モジュールを用いて、認証対象の行動、周辺環境および状況に対する行動および状況情報を生成することもできる。そして、認知情報ベースの認証装置２００は、認証対象から行動および状況情報を収集することもできる。
【００９９】
ここで、行動および状況情報は、認証対象に相応する位置情報、移動情報、ビーコン信号情報、生体信号情報、環境情報および実行中の応用プログラム情報のうちの少なくともいずれか１つを含むことができる。
【０１００】
例えば、認知情報ベースの認証装置２００が、認証対象が車両に乗って車両を始動させる行動および状況情報を収集したと仮定する。この時、認知情報ベースの認証装置２００は、車両の位置、速度、認証対象の端末機のナビゲーションアプリの実行現況、ナビゲーションアプリに設定された移動経路、交通カメラの撮影情報、高速道路ハイパス利用情報、交通情報収集機によって収集された交通情報、車両の室内外温度などを行動および状況情報として収集することができる。
【０１０１】
また、認証対象がバスで移動すると判断された場合、認知情報ベースの認証装置２００は、バス路線情報、移動時間、乗車券の前売り時に使用したクレジットカード使用情報、地下鉄または市内バスの料金支払い時間、利用中のバスの位置情報などを行動および状況情報として収集することもできる。
【０１０２】
そして、収集された行動および状況情報は、認証対象が所有するスマート機器の通信網、交通通信網、公開されたＷｉ−Ｆｉ網、ビッグデータ収集のための別の網、ビーコン信号に連結された網などを用いて収集されてもよい。
【０１０３】
また、Ｓ３２０ステップで収集された行動および状況情報はビッグデータとして保存されてもよいし、ビッグデータクラウドサーバまたはビッグデータ保存所などに保存されてもよい。
【０１０４】
次に、認知情報ベースの認証装置２００は、認知情報を抽出する（Ｓ３３０）。
【０１０５】
認知情報ベースの認証装置２００は、Ｓ３２０ステップで収集された行動および状況情報に相応する認知情報を抽出する。この時、認知情報ベースの認証装置２００は、具備された保存モジュールに保存されたビッグデータから、行動および状況情報に相応する認知情報を抽出することができる。また、認知情報ベースの認証装置２００は、外部のビッグデータ保存所に保存されたビッグデータから認知情報を抽出することもできる。
【０１０６】
Ｓ３２０ステップで１０１番バスの交通端末機に交通カードをタグする行動および状況情報を収集した場合、認知情報ベースの認証装置２００は、１０１番バスの路線、バスの速度、当該バスの現在位置などを認知情報として抽出することができる。
【０１０７】
そして、認知情報ベースの認証装置２００は、認証を行う（Ｓ３４０）。
【０１０８】
認知情報ベースの認証装置２００は、抽出された認知情報に基づいて、行動および状況情報を考慮して、認証対象に対する認証を行う。この時、認知情報ベースの認証装置２００は、行動および状況情報の持続性、固有性、妥当性および正当性のうちの少なくともいずれか１つを判断して、認証対象に対する認証を行うことができる。
【０１０９】
認知情報ベースの認証装置２００は、行動および状況情報が閾値時間および閾値回数のうちの少なくともいずれか１つ以上を持続的に受信するか否かに基づいて、行動および状況情報の持続性を判断することができる。そして、行動および状況情報が持続すると判断された場合、認証対象に対する認証を行うことができる。
【０１１０】
認知情報ベースの認証装置２００は、行動および状況情報の変化量が閾値変化量以下の固有の情報であるか否かに基づいて、行動および状況情報の固有性を判断することができる。行動および状況情報が固有の情報であると判断された場合、認知情報ベースの認証装置２００は、認証対象に対する認証を行うことができる。
【０１１１】
また、認知情報ベースの認証装置２００は、行動および状況情報の変化の結果と行動および状況情報に相応する予測結果とを比較して、行動および状況情報の妥当性を判断することができる。認知情報ベースの認証装置２００は、行動および状況情報が妥当であると判断された場合、認証対象に対する認証を行うことができる。
【０１１２】
そして、認知情報ベースの認証装置２００は、抽出された認知情報に基づいて、行動および状況情報のパターンの変化に対する正当性を判断することができる。認知情報ベースの認証装置２００は、行動および状況情報のパターンの変化が正当であると判断された場合、認証対象に対する認証を行うことができる。
【０１１３】
最後に、認知情報ベースの認証装置２００は、認証実行結果を出力する（Ｓ３５０）。
【０１１４】
認知情報ベースの認証装置２００は、認知情報ベースの認証装置２００上に認証実行結果を出力したり、認証要請を伝送した外部の装置またはソフトウェアなどに認証実行結果を伝送することもできる。
【０１１５】
認知情報ベースの認証装置２００が統合認証（ＳＳＯ、Ｓｉｎｇｌｅ  Ｓｉｇｎ−Ｏｎ）のための認証サーバのような認証装置の場合、認知情報ベースの認証装置２００は、認証対象に対する認証実行結果を認証を要請した認証要請装置に伝送することができる。
【０１１６】
また、認知情報ベースの認証装置２００は、ＩＤ−パスワードベース認証方式などの既存の認証方式と結合して、認証情報の紛失時、認証要請者の行動および状況情報を用いて認証要請者を認証することができる。
【０１１７】
そして、認知情報ベースの認証装置２００は、認証情報の露出時、非認可者による認証要請が行われる場合、許可されたユーザや事物の行動状況認知情報と比較して、非認可者による認証要請を遮断することができる。これにより、認知情報ベースの認証装置２００は、事物にＩＤ−パスワード入力装置を搭載することによる困難さと認証要請時のユーザのパスワードの入力による不便さを解決することができる。
【０１１８】
また、認知情報ベースの認証装置２００は、認証トークンベース方式と結合して、ハードウェア認証トークンの紛失や非携帯の際、認証要請者の行動および状況情報を確認して臨時的な認証を行うことができる。
【０１１９】
そして、認知情報ベースの認証装置２００は、ソフトウェア認証トークン情報の紛失や露出時、行動および状況情報を用いた認証を行って、正常認可者に対する臨時的な認証や非認可者による認証要請を事前に遮断することができる。
【０１２０】
この時、認知情報ベースの認証装置２００は、既存のトークンベース認証の構築時、別の認証システム構築のための費用、管理などに対する費用とユーザの増加による認証トークン発給規模の増設などの問題を補完することができる。
【０１２１】
また、認知情報ベースの認証装置２００は、生体ベース認証方式と結合して認証を行うこともできる。この時、認知情報ベースの認証装置２００は、生体認証システムに登録されたユーザの身体情報に対する無欠性が損なわれた時、認証対象の行動および状況情報を用いて認証を行うことにより、正常ユーザが新しい生体認証情報を登録する前まで、正常ユーザを臨時的に認証することができる。
【０１２２】
そして、認知情報ベースの認証装置２００は、インターネットバンキングの２チャンネルサービスのような既存の認証方式と結合して多重要素認証方式として適用可能であり、これにより、認証要請者に対する運用の便宜性を提供することもできる。
【０１２３】
以下、図４により、本発明の一実施態様に係る認知情報ベースの認証装置によって行われる認知情報生成方法についてより詳細に説明する。
【０１２４】
図４は、本発明の一実施態様に係る認知情報生成方法を説明するためのフローチャートである。
【０１２５】
まず、認知情報ベースの認証装置２００は、ビッグデータを収集する（Ｓ４１０）。
【０１２６】
認知情報ベースの認証装置２００は、ユーザや事物の位置、周辺ビーコン信号により収集された情報、ネットワーク接続網の情報、情報が収集された機器の種類、移動速度、移動変位、周辺機器との通信情報、周辺環境の温度および湿度などの環境因子要素、環境因子要素の変化量、周辺状況情報などをビッグデータとして収集することができる。そして、ビッグデータは、個別に識別される情報であるか、個別に識別される情報と相互連結される情報および周辺状況情報であってもよい。
【０１２７】
この時、認知情報ベースの認証装置２００は、各種環境センサ、位置センサ、光量センサ、認識センサなどのように周辺環境や状況に関する情報を測定および収集可能な収集モジュールを用いてビッグデータを収集することができる。また、認知情報ベースの認証装置２００は、ユーザおよび事物から通信網ネットワークを介してビッグデータを収集することができる。
【０１２８】
そして、認知情報ベースの認証装置２００は、認知情報を生成する（Ｓ４２０）。
【０１２９】
認知情報ベースの認証装置２００は、収集されたビッグデータを加工して認知情報を生成する。この時、複数の機器からビッグデータを収集した場合、認知情報ベースの認証装置２００は、それぞれの機器に区別コードを付与し、ビッグデータに区別コードを付加して認知情報を生成することができる。
【０１３０】
認知情報ベースの認証装置２００がユーザおよび事物からビッグデータを収集した場合、認知情報ベースの認証装置２００は、生成された認知情報をユーザおよび事物情報とマッピングすることができる。
【０１３１】
次に、認知情報ベースの認証装置２００は、生成された認知情報を保存する（Ｓ４３０）。
【０１３２】
認知情報ベースの認証装置２００は、認知情報をデジタル形態でデータベース化して保存する。
【０１３３】
この時、認知情報ベースの認証装置２００は、認知情報が正常に収集された認知情報であるか否かを確認した後、認知情報が正常に収集された場合のみ、後述するＳ４３０ステップを行って、当該認知情報を保存することもできる。
【０１３４】
認知情報ベースの認証装置２００は、ビッグデータを認証対象にマッピングして保存することができる。また、認知情報ベースの認証装置２００は、既存に収集されて保存された認知情報と生成された認知情報との連続性および関連性を比較し、比較結果、生成された認知情報と保存された認知情報との間の妥当性が存在すると確認される場合、生成された認知情報を保存することもできる。
【０１３５】
この時、認知情報ベースの認証装置２００は、生成された認知情報に基づいて、保存された認知情報との移動間変位の差に関する妥当性情報、認知情報に相応する認証対象周辺の識別情報の一致性情報、周辺状況情報との一致性情報、認証対象の行動と接続機器の状況の一致性情報、保存された認知情報の温度値と現在位置に対する温度変化量の平均値の比較情報などの多様な妥当性の確認方式により、生成された認知情報と保存された認知情報との間の妥当性を確認することができる。
【０１３６】
図５は、本発明の一実施態様に係るコンピュータシステムを示すブロック図である。
【０１３７】
図５を参照すれば、本発明の実施形態は、コンピュータ読取可能な記録媒体のようなコンピュータシステム５００で実現可能である。図５に示されているように、コンピュータシステム５００は、バス５２０を介して互いに通信する１つ以上のプロセッサ５１０と、メモリ５３０と、ユーザ入力装置５４０と、ユーザ出力装置５５０と、ストレージ５６０とを含むことができる。また、コンピュータシステム５００は、ネットワーク５８０に連結されるネットワークインタフェース５７０をさらに含むことができる。プロセッサ５１０は、中央処理装置またはメモリ５３０やストレージ５６０に保存されたプロセッシングインストラクションを実行する半導体装置であってもよい。メモリ５３０およびストレージ５６０は、多様な形態の揮発性または不揮発性記憶媒体であってもよい。例えば、メモリは、ＲＯＭ５３１やＲＡＭ５３２を含むことができる。
【０１３８】
したがって、本発明の実施形態は、コンピュータで実現された方法やコンピュータで実行可能な命令語が記録された非一時的なコンピュータ読取可能な媒体で実現可能である。コンピュータ読取可能な命令語がプロセッサによって実施される時、コンピュータ読取可能な命令語は、本発明の少なくとも１つの態様に係る方法を行うことができる。
【０１３９】
以上、本発明に係る認知情報ベースの認証装置および方法は、上記のように説明された実施形態の構成と方法に限定されて適用されるのではなく、上記の実施形態は、多様な変形が行われるように各実施形態の全部または一部が選択的に組み合わされて構成されてもよい。
【符号の説明】
【０１４０】
１００：認証対象
２００：認知情報ベースの認証装置
２１０：認証要請受信部
２２０：行動および状況情報収集部
２３０：認証情報抽出部
２４０：認証処理部
２５０：認証結果出力部
３００：データ収集装置
４００：ビッグデータ保存所
５００：コンピュータシステム
５１０：プロセッサ
５２０：バス
５３０：メモリ
５３１：ＲＯＭ
５３２：ＲＡＭ
５４０：ユーザ入力装置
５５０：ユーザ出力装置
５６０：ストレージ
５７０：ネットワークインタフェース
５８０：ネットワーク
【図１】
2017188056.tif 000003
【図２】
2017188056.tif 000004
【図３】
2017188056.tif 000005
【図４】
2017188056.tif 000006
【図５】
2017188056.tif 000007